(57)【要約】【課題】フィンによる放熱効率が低下してしまうのを回避しつつ、複数の発光素子モジュールからの光を複数の異なる方向に照射する。【解決手段】発光素子１ａが発生した熱を放熱するフィン１ｅ１を有する発光素子モジュール１を複数設けた照明装置１０において、一の発光素子モジュール１−１の主光軸線Ｌ１−１と他の発光素子モジュール１−４，１−５，・・，１−９の主光軸線Ｌ１−４，Ｌ１−５，・・，Ｌ１−９とが０°より大きい角度をなすか、ねじれの位置関係をなすように、発光素子モジュール１−１，１−４，・・，１−９を配置し、全てのフィン１−１ｅ１，１−２ｅ１，・・，１−８ｅ１が鉛直面に対して平行になるように、かつ、フィンの根元部分が、フィンの先端部分と同じ高さに位置するか、あるいは、フィンの先端部分よりも下側に位置するように、フィン１−１ｅ１，１−２ｅ１，・・，１−８ｅ１を配置した。【選択図】図５
2007227075.tif 000002
【特許請求の範囲】
【請求項１】
発光素子と、前記発光素子が発生した熱を放熱するためのフィンとを有する発光素子モジュールを複数設けた照明装置において、
一の発光素子モジュールの主光軸線と他の発光素子モジュールの主光軸線とが０°より大きい角度をなすか、あるいは、ねじれの位置関係をなすように、複数の発光素子モジュールを配置すると共に、
すべてのフィンが鉛直面に対して平行になるように、かつ、フィンの根元部分が、そのフィンの先端部分と同じ高さに位置するか、あるいは、そのフィンの先端部分よりも下側に位置するように、すべてのフィンを配置したことを特徴とする照明装置。
【請求項２】
発光素子モジュールの配光パターンを、発光素子モジュールの主光軸線を中心とする概略円形状に形成したことを特徴とする請求項１に記載の照明装置。
【請求項３】
各発光素子モジュールに１個の概略円形の発光素子を設けたことを特徴とする請求項２に記載の照明装置。
【請求項４】
発光素子モジュールの主光軸線を中心とする円上に２個以上の発光素子を配列したことを特徴とする請求項２に記載の照明装置。
【発明の詳細な説明】
【技術分野】
【０００１】
本発明は、発光素子が発生した熱を放熱するためのフィンを有する発光素子モジュールが複数設けられた照明装置に関し、特には、フィンによる放熱効率が低下してしまうのを回避しつつ、複数の発光素子モジュールからの光を複数の異なる方向に照射することができる照明装置に関する。
【背景技術】
【０００２】
従来から、発光素子（ＬＥＤ）が発生した熱を放熱するためのフィンを有する発光素子モジュール（ＬＥＤ光源モジュール）が複数設けられた照明装置が知られている。この種の照明装置の例としては、例えば特開２００４−５５２２９号公報に記載されたものがある。
【０００３】
特開２００４−５５２２９号公報に記載された照明装置では、隣接するフィンの根元部分を橋絡するための橋絡部（基部）の表面のうち、フィンが配置されている面と同じ側の面に発光素子（ＬＥＤ）が配置され、フィンが配置されている面とは反対側の面に照明器具筺体が当接せしめられている。
【０００４】
その結果、特開２００４−５５２２９号公報に記載された照明装置では、発光素子（ＬＥＤ）が発生した熱が、橋絡部（基部）を介してフィンから放熱されると共に、橋絡部（基部）を介して照明器具筺体に伝熱せしめられている。
【０００５】
ところで、特開２００４−５５２２９号公報の図９に記載された照明装置では、複数の発光素子モジュール（ＬＥＤ光源モジュール）が設けられているものの、一の発光素子モジュールの主光軸線と他の発光素子モジュールの主光軸線とが平行になるように複数の発光素子モジュールが配置されている。そのため、特開２００４−５５２２９号公報の図９に記載された照明装置では、複数の発光素子モジュールからの光を複数の異なる方向に照射することができない。
【０００６】
一方、複数の発光素子モジュールからの光を複数の異なる方向に照射するために、発光素子モジュールの主光軸線の向きを変更しようとすると、フィンから熱を受け取った空気の上昇気流が妨害され、それにより、フィンによる放熱効率が低下するおそれが生じてしまう。
【０００７】
【特許文献１】特開２００４−５５２２９号公報
【発明の開示】
【発明が解決しようとする課題】
【０００８】
前記問題点に鑑み、本発明は、フィンによる放熱効率が低下してしまうのを回避しつつ、複数の発光素子モジュールからの光を複数の異なる方向に照射することができる照明装置を提供することを目的とする。
【課題を解決するための手段】
【０００９】
請求項１に記載の発明によれば、発光素子と、前記発光素子が発生した熱を放熱するためのフィンとを有する発光素子モジュールを複数設けた照明装置において、一の発光素子モジュールの主光軸線と他の発光素子モジュールの主光軸線とが０°より大きい角度をなすか、あるいは、ねじれの位置関係をなすように、複数の発光素子モジュールを配置すると共に、すべてのフィンが鉛直面に対して平行になるように、かつ、フィンの根元部分が、そのフィンの先端部分と同じ高さに位置するか、あるいは、そのフィンの先端部分よりも下側に位置するように、すべてのフィンを配置したことを特徴とする照明装置が提供される。
【００１０】
請求項２に記載の発明によれば、発光素子モジュールの配光パターンを、発光素子モジュールの主光軸線を中心とする概略円形状に形成したことを特徴とする請求項１に記載の照明装置が提供される。
【００１１】
請求項３に記載の発明によれば、各発光素子モジュールに１個の概略円形の発光素子を設けたことを特徴とする請求項２に記載の照明装置が提供される。
【００１２】
請求項４に記載の発明によれば、発光素子モジュールの主光軸線を中心とする円上に２個以上の発光素子を配列したことを特徴とする請求項２に記載の照明装置が提供される。
【発明の効果】
【００１３】
特開２００４−５５２２９号公報の図９に記載された照明装置のように、一の発光素子モジュールの主光軸線と他の発光素子モジュールの主光軸線とが平行になるように複数の発光素子モジュールが配置されると、複数の発光素子モジュールからの光を複数の異なる方向に照射することができなくなってしまう。
【００１４】
この点に鑑み、請求項１に記載の照明装置では、一の発光素子モジュールの主光軸線と他の発光素子モジュールの主光軸線とが０°より大きい角度をなすか、あるいは、ねじれの位置関係をなすように、複数の発光素子モジュールが配置されている。そのため、請求項１に記載の照明装置によれば、複数の発光素子モジュールからの光を複数の異なる方向に照射することができる。
【００１５】
更に、フィンが鉛直面に対して０°より大きい角度をなして配置されると、フィンから熱を受け取ったフィンの下側の空気の上昇気流が、そのフィンによって妨害されてしまい、その結果、フィンによる放熱効率が低下してしまう。
【００１６】
また、フィンの根元部分がフィンの先端部分よりも上側に位置するようにフィンが配置されると、隣接するフィンの根元部分を橋絡するための橋絡部によって、フィンから熱を受け取った空気の上昇気流が妨害されてしまい、その結果、フィンによる放熱効率が低下してしまう。
【００１７】
この点に鑑み、請求項１に記載の照明装置では、すべてのフィンが鉛直面に対して平行になるように、かつ、フィンの根元部分が、そのフィンの先端部分と同じ高さに位置するか、あるいは、そのフィンの先端部分よりも下側に位置するように、すべてのフィンが配置されている。そのため、請求項１に記載の照明装置によれば、フィンによる放熱効率が低下してしまうのを回避することができる。
【００１８】
つまり、請求項１に記載の照明装置によれば、フィンによる放熱効率が低下してしまうのを回避しつつ、複数の発光素子モジュールからの光を複数の異なる方向に照射することができる。
【００１９】
フィンが鉛直面に対して平行になるように、かつ、フィンの根元部分が、フィンの先端部分と同じ高さに位置するか、あるいは、フィンの先端部分よりも下側に位置するようにするためには、発光素子モジュールを回転させて取り付けなければならない場合がある。
【００２０】
一方、発光素子モジュールの配光パターンが例えば多角形形状に形成されている場合には、発光素子モジュールが回転せしめられると、発光素子モジュールからの光が到達する位置が目標位置からずれてしまうおそれがある。
【００２１】
この点に鑑み、請求項２〜４に記載の照明装置では、発光素子モジュールの配光パターンが、発光素子モジュールの主光軸線を中心とする概略円形状に形成されている。
【００２２】
好ましくは、請求項２〜４に記載の照明装置では、各発光素子モジュールに１個の概略円形の発光素子が設けられている。
【００２３】
あるいは、好ましくは、請求項２〜４に記載の照明装置では、発光素子モジュールの主光軸線を中心とする円上に２個以上の発光素子が配列されている。
【００２４】
詳細には、請求項２〜４に記載の照明装置では、発光素子モジュールが回転せしめられても、発光素子モジュールからの光が到達する位置が変化しないように、発光素子モジュールの配光パターンが、発光素子モジュールの主光軸線を中心とする概略円形状に形成されている。
【００２５】
そのため、請求項２〜４に記載の照明装置によれば、発光素子モジュールが回転せしめられるのに伴って、発光素子モジュールからの光が到達する位置が目標位置からずれてしまうおそれを低減することができる。
【発明を実施するための最良の形態】
【００２６】
以下、本発明の照明装置の第１の実施形態について説明する。図１は第１の実施形態の照明装置の一部を構成する発光素子モジュール１を示した図である。詳細には、図１（Ａ）は部分的に断面で示した発光素子モジュール１の左側面図、図１（Ｂ）は発光素子モジュール１の正面図、図１（Ｃ）は発光素子モジュール１を前側かつ左側かつ下側から見た斜視図、図１（Ｄ）は発光素子モジュール１の底面図である。
【００２７】
図１において、１ａは例えばＬＥＤのような発光素子を示している。１ｂは発光素子１ａから放射された光を下向き（図１（Ａ）および図１（Ｂ）の下側）に反射するための反射面を備えたリフレクタを示している。１ｃは発光素子１ａからの直射光およびリフレクタ１ｂの反射面からの反射光を配光制御するためにリフレクタ１ｂに取り付けられたレンズを示している。
【００２８】
また、図１において、１ｄは発光素子１ａおよびリフレクタ１ｂを支持し、かつ、発光素子１ａが発生した熱を放熱あるいは熱伝導するための熱インターフェース材を示している。１ｅは熱インターフェース材１ｄを支持するためのハウジングを示している。１ｅ１はハウジング１ｅの一部を構成しているフィンを示している。１ｆは発光素子１ａ、リフレクタ１ｂ、レンズ１ｃおよび熱インターフェース材１ｄを覆うためのカバーを示している。２は発光素子モジュール１を取り付けるための取り付け部材を示している。
【００２９】
第１の実施形態の照明装置では、発光素子１ａが発生した熱の一部が、熱インターフェース材１ｄから放熱せしめられる。また、発光素子１ａが発生した熱の一部が、熱インターフェース材１ｄを介してハウジング１ｅのフィン１ｅ１に熱伝導され、フィン１ｅ１から放熱せしめられる。更に、発光素子１ａが発生した熱の一部が、熱インターフェース材１ｄおよびハウジング１ｅを介して取り付け部材２に熱伝導され、取り付け部材２から放熱せしめられる。
【００３０】
図２は図１に示した発光素子モジュール１から照射される光の配光パターンを示した図である。図２の左側が、図１に示した発光素子モジュール１の後側（図１（Ｃ）の左下側）に相当し、図２の右側が、図１に示した発光素子モジュール１の前側（図１（Ｃ）の右上側）に相当し、図２の上側が、図１に示した発光素子モジュール１の右側（図１（Ｃ）の右下側）に相当し、図２の下側が、図１に示した発光素子モジュール１の左側（図１（Ｃ）の左上側）に相当している。
【００３１】
第１の実施形態の照明装置では、図１および図２に示すように、発光素子モジュール１の左右方向（図１（Ａ）の手前−奥側方向、図１（Ｂ）の左右方向、図１（Ｃ）の左上−右下側方向、図１（Ｄ）の左右方向、図２の上下方向）の集光度合いが、発光素子モジュール１の前後方向（図１（Ａ）の左右方向、図１（Ｂ）の手前−奥側方向、図１（Ｃ）の右上−左下側方向、図１（Ｄ）の上下方向、図２の左右方向）の集光度合いよりも小さくなるように、レンズ１ｃの集光特性が設定されている。
【００３２】
換言すれば、第１の実施形態の照明装置では、図２に示すように、発光素子モジュール１から照射される光の配光パターンが、前後方向（図２の左右方向）よりも左右方向（図２の上下方向）に長くなるように設定されている。
【００３３】
図３および図４は図１に示した発光素子モジュール１を取り付けるための取り付け部材２、および、取り付け部材２を支持するための支柱３の一部を示した図である。詳細には、図３（Ａ）は取り付け部材２および支柱３の一部の平面図、図３（Ｂ）は取り付け部材２および支柱３の一部の正面図、図４（Ａ）は取り付け部材２および支柱３の一部の左側面図、図４（Ｂ）は取り付け部材２および支柱３の一部の底面図である。
【００３４】
第１の実施形態の照明装置では、図３および図４に示すように、取り付け部材２が８個の区画２−１，２−２，２−３，２−４，２−５，２−６，２−７，２−８に分割されている。詳細には、図３（Ａ）および図３（Ｂ）に示すように、取り付け部材２の区画２−１，２−２，２−３と、区画２−４，２−５と、区画２−６，２−７，２−８とが、２段階に屈曲せしめられている。
【００３５】
図５〜図７は図３および図４に示した取り付け部材２に対して図１に示した発光素子モジュール１（１−１，１−２，１−３，１−４，１−５，１−６，１−７，１−８）が８個取り付けられた状態を示した図である。
【００３６】
詳細には、図５（Ａ）は発光素子モジュール１（１−１，１−２，１−３，１−４，１−５，１−６，１−７，１−８）が取り付けられた取り付け部材２および支柱３の一部の平面図、図５（Ｂ）は発光素子モジュール１（１−１，１−２，１−３，１−４，１−５，１−６，１−７，１−８）が取り付けられた取り付け部材２および支柱３の一部の正面図である。図６（Ａ）は発光素子モジュール１（１−１，１−２，１−３，１−４，１−５，１−６，１−７，１−８）が取り付けられた取り付け部材２および支柱３の一部の左側面図、図６（Ｂ）は発光素子モジュール１（１−１，１−２，１−３，１−４，１−５，１−６，１−７，１−８）が取り付けられた取り付け部材２および支柱３の一部の底面図である。
【００３７】
また、図７（Ａ）は取り付け部材２に取り付けられた発光素子モジュール１−２，１−４，１−７の位置関係を示した図５（Ｂ）と同様の図、図７（Ｂ）は取り付け部材２に取り付けられた発光素子モジュール１−２，１−５，１−７の位置関係を示した図５（Ｂ）と同様の図、図７（Ｃ）は取り付け部材２に取り付けられた発光素子モジュール１−３，１−５，１−８の位置関係を示した図５（Ｂ）と同様の図である。
【００３８】
図８は第１の実施形態の照明装置１０の全体図である。詳細には、図８（Ａ）は第１の実施形態の照明装置１０の正面図、図８（Ｂ）は第１の実施形態の照明装置１０の左側面図である。
【００３９】
第１の実施形態の照明装置１０では、図５（Ａ）、図５（Ｂ）および図６（Ｂ）に示すように、発光素子モジュール１−１の主光軸線Ｌ１−１が右下向きに指向せしめられている。また、図５（Ａ）、図６（Ｂ）、図７（Ａ）および図７（Ｂ）に示すように、発光素子モジュール１−２の主光軸線Ｌ１−２が右下向きに指向せしめられている。更に、図５（Ａ）、図６（Ｂ）および図７（Ｃ）に示すように、発光素子モジュール１−３の主光軸線Ｌ１−３が右下向きに指向せしめられている。
【００４０】
また、第１の実施形態の照明装置１０では、図５（Ａ）、図５（Ｂ）、図６（Ｂ）および図７（Ａ）に示すように、発光素子モジュール１−４の主光軸線Ｌ１−４が下向きに指向せしめられている。更に、図５（Ａ）、図６（Ｂ）、図７（Ｂ）および図７（Ｃ）に示すように、発光素子モジュール１−５の主光軸線Ｌ１−５が下向きに指向せしめられている。
【００４１】
更に、第１の実施形態の照明装置１０では、図５（Ａ）、図５（Ｂ）および図６（Ｂ）に示すように、発光素子モジュール１−６の主光軸線Ｌ１−６が左下向きに指向せしめられている。また、図５（Ａ）、図６（Ｂ）、図７（Ａ）および図７（Ｂ）に示すように、発光素子モジュール１−７の主光軸線Ｌ１−７が左下向きに指向せしめられている。更に、図５（Ａ）、図６（Ｂ）および図７（Ｃ）に示すように、発光素子モジュール１−８の主光軸線Ｌ１−８が左下向きに指向せしめられている。
【００４２】
詳細には、第１の実施形態の照明装置１０では、図５（Ａ）、図５（Ｂ）および図６（Ｂ）に示すように、発光素子モジュール１−１の主光軸線Ｌ１−１と、発光素子モジュール１−４の主光軸線Ｌ１−４とがねじれの位置関係をなすように、発光素子モジュール１−１，１−４が配置されている。また、発光素子モジュール１−４の主光軸線Ｌ１−４と、発光素子モジュール１−６の主光軸線Ｌ１−６とがねじれの位置関係をなすように、発光素子モジュール１−４，１−６が配置されている。更に、発光素子モジュール１−１の主光軸線Ｌ１−１と、発光素子モジュール１−６の主光軸線Ｌ１−６とが０°より大きい所定の角度をなすように、発光素子モジュール１−１，１−６が配置されている。
【００４３】
また、第１の実施形態の照明装置１０では、図５（Ａ）、図６（Ｂ）および図７（Ａ）に示すように、発光素子モジュール１−２の主光軸線Ｌ１−２と、発光素子モジュール１−４の主光軸線Ｌ１−４とがねじれの位置関係をなすように、発光素子モジュール１−２，１−４が配置されている。更に、発光素子モジュール１−４の主光軸線Ｌ１−４と、発光素子モジュール１−７の主光軸線Ｌ１−７とがねじれの位置関係をなすように、発光素子モジュール１−４，１−７が配置されている。また、発光素子モジュール１−２の主光軸線Ｌ１−２と、発光素子モジュール１−７の主光軸線Ｌ１−７とが０°より大きい所定の角度をなすように、発光素子モジュール１−２，１−７が配置されている。
【００４４】
更に、第１の実施形態の照明装置１０では、図５（Ａ）、図６（Ｂ）および図７（Ｂ）に示すように、発光素子モジュール１−２の主光軸線Ｌ１−２と、発光素子モジュール１−５の主光軸線Ｌ１−５とがねじれの位置関係をなすように、発光素子モジュール１−２，１−５が配置されている。また、発光素子モジュール１−５の主光軸線Ｌ１−５と、発光素子モジュール１−７の主光軸線Ｌ１−７とがねじれの位置関係をなすように、発光素子モジュール１−５，１−７が配置されている。
【００４５】
また、第１の実施形態の照明装置１０では、図５（Ａ）、図６（Ｂ）および図７（Ｃ）に示すように、発光素子モジュール１−３の主光軸線Ｌ１−３と、発光素子モジュール１−５の主光軸線Ｌ１−５とがねじれの位置関係をなすように、発光素子モジュール１−３，１−５が配置されている。更に、発光素子モジュール１−５の主光軸線Ｌ１−５と、発光素子モジュール１−８の主光軸線Ｌ１−８とがねじれの位置関係をなすように、発光素子モジュール１−５，１−８が配置されている。また、発光素子モジュール１−３の主光軸線Ｌ１−３と、発光素子モジュール１−８の主光軸線Ｌ１−８とが０°より大きい所定の角度をなすように、発光素子モジュール１−３，１−８が配置されている。
【００４６】
そのため、第１の実施形態の照明装置１０によれば、８個の発光素子モジュール１−１，１−２，１−３，１−４，１−５，１−６，１−７，１−８からの光を異なる方向に照射することができる。
【００４７】
更に、第１の実施形態の照明装置１０では、図５（Ａ）、図５（Ｂ）および図６（Ａ）に示すように、発光素子モジュール１−１のすべてのフィン１−１ｅ１が鉛直面に対して平行になり、かつ、フィン１−１ｅ１の根元部分（図５（Ｂ）の右下側部分）がフィン１−１ｅ１の先端部分（図５（Ｂ）の左上側部分）よりも下側に位置するように、発光素子モジュール１−１のすべてのフィン１−１ｅ１が配置されている。そのため、第１の実施形態の照明装置１０では、発光素子モジュール１−１のフィン１−１ｅ１から熱を受け取った空気が、フィン１−１ｅ１の表面に沿って真上に上昇することができる。その結果、第１の実施形態の照明装置１０によれば、フィン１−１ｅ１による放熱効率を最も高めることができる。
【００４８】
また、第１の実施形態の照明装置１０では、図５（Ａ）、図６（Ａ）および図７（Ａ）に示すように、発光素子モジュール１−２のすべてのフィン１−２ｅ１が鉛直面に対して平行になり、かつ、フィン１−２ｅ１の根元部分（図７（Ａ）の右下側部分）がフィン１−２ｅ１の先端部分（図７（Ａ）の左上側部分）よりも下側に位置するように、発光素子モジュール１−２のすべてのフィン１−２ｅ１が配置されている。そのため、第１の実施形態の照明装置１０では、発光素子モジュール１−２のフィン１−２ｅ１から熱を受け取った空気が、フィン１−２ｅ１の表面に沿って真上に上昇することができる。その結果、第１の実施形態の照明装置１０によれば、フィン１−２ｅ１による放熱効率を最も高めることができる。
【００４９】
更に、第１の実施形態の照明装置１０では、図５（Ａ）、図６（Ａ）および図７（Ｃ）に示すように、発光素子モジュール１−３のすべてのフィン１−３ｅ１が鉛直面に対して平行になり、かつ、フィン１−３ｅ１の根元部分（図７（Ｃ）の右下側部分）がフィン１−３ｅ１の先端部分（図７（Ｃ）の左上側部分）よりも下側に位置するように、発光素子モジュール１−３のすべてのフィン１−３ｅ１が配置されている。そのため、第１の実施形態の照明装置１０では、発光素子モジュール１−３のフィン１−３ｅ１から熱を受け取った空気が、フィン１−３ｅ１の表面に沿って真上に上昇することができる。その結果、第１の実施形態の照明装置１０によれば、フィン１−３ｅ１による放熱効率を最も高めることができる。
【００５０】
また、第１の実施形態の照明装置１０では、図５（Ａ）、図５（Ｂ）および図６（Ａ）に示すように、発光素子モジュール１−４のすべてのフィン１−４ｅ１が鉛直面に対して平行になり、かつ、フィン１−４ｅ１の根元部分（図５（Ｂ）の下側部分）がフィン１−４ｅ１の先端部分（図５（Ｂ）の上側部分）よりも下側に位置するように、発光素子モジュール１−４のすべてのフィン１−４ｅ１が配置されている。そのため、第１の実施形態の照明装置１０では、発光素子モジュール１−４のフィン１−４ｅ１から熱を受け取った空気が、フィン１−４ｅ１の表面に沿って真上に上昇することができる。その結果、第１の実施形態の照明装置１０によれば、フィン１−４ｅ１による放熱効率を最も高めることができる。
【００５１】
更に、第１の実施形態の照明装置１０では、図５（Ａ）、図６（Ａ）および図７（Ｂ）に示すように、発光素子モジュール１−５のすべてのフィン１−５ｅ１が鉛直面に対して平行になり、かつ、フィン１−５ｅ１の根元部分（図７（Ｂ）の下側部分）がフィン１−５ｅ１の先端部分（図７（Ｂ）の上側部分）よりも下側に位置するように、発光素子モジュール１−５のすべてのフィン１−５ｅ１が配置されている。そのため、第１の実施形態の照明装置１０では、発光素子モジュール１−５のフィン１−５ｅ１から熱を受け取った空気が、フィン１−５ｅ１の表面に沿って真上に上昇することができる。その結果、第１の実施形態の照明装置１０によれば、フィン１−５ｅ１による放熱効率を最も高めることができる。
【００５２】
また、第１の実施形態の照明装置１０では、図５（Ａ）および図５（Ｂ）に示すように、発光素子モジュール１−６のすべてのフィン１−６ｅ１が鉛直面に対して平行になり、かつ、フィン１−６ｅ１の根元部分（図５（Ｂ）の左下側部分）がフィン１−６ｅ１の先端部分（図５（Ｂ）の右上側部分）よりも下側に位置するように、発光素子モジュール１−６のすべてのフィン１−６ｅ１が配置されている。そのため、第１の実施形態の照明装置１０では、発光素子モジュール１−６のフィン１−６ｅ１から熱を受け取った空気が、フィン１−６ｅ１の表面に沿って真上に上昇することができる。その結果、第１の実施形態の照明装置１０によれば、フィン１−６ｅ１による放熱効率を最も高めることができる。
【００５３】
更に、第１の実施形態の照明装置１０では、図５（Ａ）および図７（Ａ）に示すように、発光素子モジュール１−７のすべてのフィン１−７ｅ１が鉛直面に対して平行になり、かつ、フィン１−７ｅ１の根元部分（図７（Ａ）の左下側部分）がフィン１−７ｅ１の先端部分（図７（Ａ）の右上側部分）よりも下側に位置するように、発光素子モジュール１−７のすべてのフィン１−７ｅ１が配置されている。そのため、第１の実施形態の照明装置１０では、発光素子モジュール１−７のフィン１−７ｅ１から熱を受け取った空気が、フィン１−７ｅ１の表面に沿って真上に上昇することができる。その結果、第１の実施形態の照明装置１０によれば、フィン１−７ｅ１による放熱効率を最も高めることができる。
【００５４】
また、第１の実施形態の照明装置１０では、図５（Ａ）および図７（Ｃ）に示すように、発光素子モジュール１−８のすべてのフィン１−８ｅ１が鉛直面に対して平行になり、かつ、フィン１−８ｅ１の根元部分（図７（Ｃ）の左下側部分）がフィン１−８ｅ１の先端部分（図７（Ｃ）の右上側部分）よりも下側に位置するように、発光素子モジュール１−８のすべてのフィン１−８ｅ１が配置されている。そのため、第１の実施形態の照明装置１０では、発光素子モジュール１−８のフィン１−８ｅ１から熱を受け取った空気が、フィン１−８ｅ１の表面に沿って真上に上昇することができる。その結果、第１の実施形態の照明装置１０によれば、フィン１−８ｅ１による放熱効率を最も高めることができる。
【００５５】
つまり、第１の実施形態の照明装置１０によれば、フィン１−１ｅ１，１−２ｅ１，１−３ｅ１，１−４ｅ１，１−５ｅ１，１−６ｅ１，１−７ｅ１，１−８ｅ１による放熱効率が低下してしまうのを回避しつつ、８個の発光素子モジュール１−１，１−２，１−３，１−４，１−５，１−６，１−７，１−８からの光を複数の異なる方向に照射することができる。
【００５６】
また、第１の実施形態の照明装置１０では、１個の発光素子モジュール１によって照射される領域と、照明装置全体の照射領域とがほぼ一致せしめられるのではなく、１個の発光素子モジュール１によって照射される領域が、照明装置全体の照射領域より小さくされている。
【００５７】
詳細には、第１の実施形態の照明装置１０では、照明装置全体の照射領域が複数の小さい領域に分割され、１つの小さい領域に１個の発光素子モジュール１の照射領域が割り当てられている。また、隣接する２個の発光素子モジュール１の照射領域に重複部分が設けられている。
【００５８】
以下、本発明の照明装置の第２の実施形態について説明する。第２の実施形態の照明装置は、後述する点を除き、上述した第１の実施形態の照明装置１０とほぼ同様に構成されている。従って、第２の実施形態の照明装置によれば、後述する点を除き、上述した第１の実施形態の照明装置１０とほぼ同様の効果を奏することができる。
【００５９】
第１の実施形態の照明装置１０では、図１に示すような発光素子モジュール１が用いられているが、第２の実施形態の照明装置では、代わりに、図９に示すような発光素子モジュール１が用いられている。
【００６０】
図９は第２の実施形態の照明装置の一部を構成する発光素子モジュール１を示した図である。詳細には、図９（Ａ）は第２の実施形態の照明装置の発光素子モジュール１の平面図、図９（Ｂ）は部分的に断面で示した第２の実施形態の照明装置の発光素子モジュール１の左側面図である。図９（Ｃ）は部分的に断面で示した第２の実施形態の照明装置の発光素子モジュール１の正面図、図９（Ｄ）は第２の実施形態の照明装置の発光素子モジュール１の底面図である。
【００６１】
図１０は図９に示した第２の実施形態の照明装置の発光素子モジュール１から照射される光の配光パターンを示した図である。
【００６２】
第１の実施形態の照明装置１０では、図１に示すように、発光素子モジュール１に３個の発光素子１ａが設けられ、図２に示すように、発光素子モジュール１から照射される光の配光パターンが、前後方向（図２の左右方向）よりも左右方向（図２の上下方向）に長くなるように設定されているが、第２の実施形態の照明装置では、代わりに、図９に示すように、発光素子モジュール１に１個の概略円形の発光素子１ａが設けられ、図１０に示すように、発光素子モジュール１から照射される光の配光パターンが、発光素子モジュール１の主光軸線Ｌ１（図９（Ｂ）および図９（Ｃ）参照）を中心とする概略円形状になるように設定されている。
【００６３】
詳細には、第２の実施形態の照明装置では、発光素子モジュール１が取り付け部材２（図３および図４参照）に対して回転せしめられても、発光素子モジュール１からの光が到達する位置が変化しないように、発光素子モジュール１の配光パターンが、発光素子モジュール１の主光軸線Ｌ１を中心とする概略円形状に形成されている。
【００６４】
第２の実施形態の照明装置では、第１の実施形態の照明装置１０と同様に、図５（Ｂ）、図７（Ａ）および図７（Ｃ）に示すように、取り付け部材２の区画２−１，２−２，２−３に取り付けられた発光素子モジュール１−１，１−２，１−３の主光軸線Ｌ１−１，Ｌ１−２，Ｌ１−３が右下向きに指向せしめられ、取り付け部材２の区画２−６，２−７，２−８に取り付けられた発光素子モジュール１−６，１−７，１−８の主光軸線Ｌ１−６，Ｌ１−７，Ｌ１−８が左下向きに指向せしめられているが、第３の実施形態の照明装置では、代わりに、取り付け部材２の区画２−１，２−２，２−３に取り付けられた発光素子モジュール１−１，１−２，１−３の主光軸線Ｌ１−１，Ｌ１−２，Ｌ１−３を右下向き、かつ、前向きに指向させ、取り付け部材２の区画２−６，２−７，２−８に取り付けられた発光素子モジュール１−６，１−７，１−８の主光軸線Ｌ１−６，Ｌ１−７，Ｌ１−８を左下向き、かつ、前向きに指向させることも可能である。
【００６５】
第３の実施形態の照明装置では、取り付け部材２（図３および図４参照）に対して発光素子モジュール１（図９参照）を回転させて取り付けることにより、第１および第２の実施形態の照明装置と同様に、すべての発光素子モジュール１のフィン１ｅ１から熱を受け取った空気が、フィン１ｅ１の表面に沿って真上に上昇できるようにすることができる。詳細には、第３の実施形態の照明装置では、取り付け部材２（図３および図４参照）に対して発光素子モジュール１（図９参照）を回転させて取り付けることにより、すべてのフィン１ｅ１が鉛直面に対して平行になり、かつ、フィン１ｅ１の根元部分が、そのフィン１ｅ１の先端部分よりも下側に位置するように、すべてのフィン１ｅ１を配置することができる。その結果、第３の実施形態の照明装置によっても、第１および第２の実施形態の照明装置と同様に、フィン１ｅ１による放熱効率を最も高めることができる。
【００６６】
以下、本発明の照明装置の第４の実施形態について説明する。第４の実施形態の照明装置は、後述する点を除き、上述した第１の実施形態の照明装置１０とほぼ同様に構成されている。従って、第４の実施形態の照明装置によれば、後述する点を除き、上述した第１の実施形態の照明装置１０とほぼ同様の効果を奏することができる。
【００６７】
第１の実施形態の照明装置１０では、図１に示すような発光素子モジュール１が用いられているが、第４の実施形態の照明装置では、代わりに、図１１に示すような発光素子モジュール１が用いられている。
【００６８】
図１１は第４の実施形態の照明装置の一部を構成する発光素子モジュール１を示した図である。詳細には、図１１（Ａ）は第４の実施形態の照明装置の発光素子モジュール１の平面図、図１１（Ｂ）は部分的に断面で示した第４の実施形態の照明装置の発光素子モジュール１の左側面図である。図１１（Ｃ）は部分的に断面で示した第４の実施形態の照明装置の発光素子モジュール１の正面図、図１１（Ｄ）は第４の実施形態の照明装置の発光素子モジュール１の底面図である。
【００６９】
第１の実施形態の照明装置１０では、図１に示すように、発光素子モジュール１に３個の発光素子１ａが設けられ、図２に示すように、発光素子モジュール１から照射される光の配光パターンが、前後方向（図２の左右方向）よりも左右方向（図２の上下方向）に長くなるように設定されているが、第４の実施形態の照明装置では、代わりに、図１１に示すように、発光素子モジュール１の主光軸線Ｌ１を中心とする円（図１１（Ｄ）の１点鎖線）上に４個の発光素子１ａ１，１ａ２，１ａ３，１ａ４が配列され、図１０に示すように、発光素子モジュール１から照射される光の配光パターンが、発光素子モジュール１の主光軸線Ｌ１（図１１（Ｂ）および図１１（Ｃ）参照）を中心とする概略円形状になるように設定されている。
【００７０】
詳細には、第１の実施形態の照明装置１０では、図１に示すように、発光素子１ａと、リフレクタ１ｂと、レンズ１ｃと、熱インターフェース材１ｄとからなる組が３組直線上に配列されているが、第４の実施形態の照明装置では、図１１に示すように、発光素子１ａ１と、リフレクタ１ｂ１と、レンズ１ｃ１と、熱インターフェース材１ｄ１とからなる組と、発光素子１ａ２と、リフレクタ１ｂ２と、レンズ１ｃ２と、熱インターフェース材１ｄ２とからなる組と、発光素子１ａ３と、リフレクタ１ｂ３と、レンズ１ｃ３と、熱インターフェース材１ｄ３とからなる組と、発光素子１ａ４と、リフレクタ１ｂ４と、レンズ１ｃ４と、熱インターフェース材１ｄ４とからなる組とが円上に配列されている。
【００７１】
更に詳細には、第４の実施形態の照明装置では、発光素子モジュール１が取り付け部材２（図３および図４参照）に対して回転せしめられても、発光素子モジュール１からの光が到達する位置が変化しないように、発光素子モジュール１の配光パターンが、発光素子モジュール１の主光軸線Ｌ１を中心とする概略円形状に形成されている。
【００７２】
第４の実施形態の照明装置では、第１の実施形態の照明装置１０と同様に、図５（Ｂ）、図７（Ａ）および図７（Ｃ）に示すように、取り付け部材２の区画２−１，２−２，２−３に取り付けられた発光素子モジュール１−１，１−２，１−３の主光軸線Ｌ１−１，Ｌ１−２，Ｌ１−３が右下向きに指向せしめられ、取り付け部材２の区画２−６，２−７，２−８に取り付けられた発光素子モジュール１−６，１−７，１−８の主光軸線Ｌ１−６，Ｌ１−７，Ｌ１−８が左下向きに指向せしめられているが、第５の実施形態の照明装置では、代わりに、取り付け部材２の区画２−１，２−２，２−３に取り付けられた発光素子モジュール１−１，１−２，１−３の主光軸線Ｌ１−１，Ｌ１−２，Ｌ１−３を右下向き、かつ、前向きに指向させ、取り付け部材２の区画２−６，２−７，２−８に取り付けられた発光素子モジュール１−６，１−７，１−８の主光軸線Ｌ１−６，Ｌ１−７，Ｌ１−８を左下向き、かつ、前向きに指向させることも可能である。
【００７３】
第５の実施形態の照明装置では、取り付け部材２（図３および図４参照）に対して発光素子モジュール１（図１１参照）を回転させて取り付けることにより、第１および第４の実施形態の照明装置と同様に、すべての発光素子モジュール１のフィン１ｅ１から熱を受け取った空気が、フィン１ｅ１の表面に沿って真上に上昇できるようにすることができる。詳細には、第５の実施形態の照明装置では、取り付け部材２（図３および図４参照）に対して発光素子モジュール１（図１１参照）を回転させて取り付けることにより、すべてのフィン１ｅ１が鉛直面に対して平行になり、かつ、フィン１ｅ１の根元部分が、そのフィン１ｅ１の先端部分よりも下側に位置するように、すべてのフィン１ｅ１を配置することができる。その結果、第５の実施形態の照明装置によっても、第１および第４の実施形態の照明装置と同様に、フィン１ｅ１による放熱効率を最も高めることができる。
【００７４】
第４の実施形態の照明装置では、図１１に示すように、４個の発光素子１ａ１，１ａ２，１ａ３，１ａ４が発光素子モジュール１の主光軸線Ｌ１を中心とする円上に配列されているが、第６の実施形態の照明装置では、代わりに、２個以上の任意の個数の発光素子を発光素子モジュール１の主光軸線Ｌ１を中心とする円上に配列すると共に、発光素子モジュール１から照射される光の配光パターンが、発光素子モジュール１の主光軸線Ｌ１を中心とする概略円形状になるように設定することも可能である。
【００７５】
第１の実施形態の照明装置１０では、図３および図４に示すように、取り付け部材２が支柱３に直接取り付けられているが、第７の実施形態の照明装置では、代わりに、取り付け部材２を支柱３に対して間接的に取り付けることも可能である。
【００７６】
第８の実施形態では、上述した第１から第７の実施形態を適宜組合わせることも可能である。
【図面の簡単な説明】
【００７７】
【図１】第１の実施形態の照明装置の一部を構成する発光素子モジュール１を示した図である。
【図２】図１に示した発光素子モジュール１から照射される光の配光パターンを示した図である。
【図３】図１に示した発光素子モジュール１を取り付けるための取り付け部材２、および、取り付け部材２を支持するための支柱３の一部を示した図である。
【図４】図１に示した発光素子モジュール１を取り付けるための取り付け部材２、および、取り付け部材２を支持するための支柱３の一部を示した図である。
【図５】図３および図４に示した取り付け部材２に対して図１に示した発光素子モジュール１（１−１，１−２，１−３，１−４，１−５，１−６，１−７，１−８）が８個取り付けられた状態を示した図である。
【図６】図３および図４に示した取り付け部材２に対して図１に示した発光素子モジュール１（１−１，１−２，１−３，１−４，１−５，１−６，１−７，１−８）が８個取り付けられた状態を示した図である。
【図７】図３および図４に示した取り付け部材２に対して図１に示した発光素子モジュール１（１−１，１−２，１−３，１−４，１−５，１−６，１−７，１−８）が８個取り付けられた状態を示した図である。
【図８】第１の実施形態の照明装置１０の全体図である。
【図９】第２の実施形態の照明装置の一部を構成する発光素子モジュール１を示した図である。
【図１０】図９に示した第２の実施形態の照明装置の発光素子モジュール１から照射される光の配光パターンを示した図である。
【図１１】第４の実施形態の照明装置の一部を構成する発光素子モジュール１を示した図である。
【符号の説明】
【００７８】
１            発光素子モジュール
１ａ          発光素子
１ｂ          リフレクタ
１ｃ          レンズ
１ｄ          熱インターフェース材
１ｅ          ハウジング
１ｅ１        フィン
１ｆ          カバー
２            取り付け部材
３            支柱
１０          照明装置
【図１】
2007227075.tif 000003
【図２】
2007227075.tif 000004
【図３】
2007227075.tif 000005
【図４】
2007227075.tif 000006
【図５】
2007227075.tif 000007
【図６】
2007227075.tif 000008
【図７】
2007227075.tif 000009
【図８】
2007227075.tif 000010
【図９】
2007227075.tif 000011
【図１０】
2007227075.tif 000012
【図１１】
2007227075.tif 000013